(57)【要約】  先端部を目視しやすく、耳内の汚れを安全に取り除くことが可能な耳かき具を提供する。  本発明に係る耳かき具１は、先端部と、湾曲する湾曲部を有する柄部と前記柄部を一端に備える把持部と、を有している。
2016068134.tif 000002
【特許請求の範囲】
【請求項１】
作用部を備える先端部と、
把持部と、
一端が前記先端部と、他端が前記把持部と接続された柄部と、を備え、
前記柄部は、その一部が湾曲した湾曲部を有している
ことを特徴とする耳かき具。
【請求項２】
請求項１に記載の耳かき具であって、
前記湾曲部は、断面直径の２〜６倍の曲率半径を有する
ことを特徴とする耳かき具。
【請求項３】
請求項１または２に記載の耳かき具であって、
前記湾曲部は、Ｓ字形状に湾曲している
ことを特徴とする耳かき具。
【請求項４】
請求項３に記載の耳かき具であって、
前記柄は、前記先端部から前記湾曲部までの前段と、前記湾曲部から前記把持部までの後段と、のなす角が、５〜３０度の角度を有している
ことを特徴とする耳かき具。
【請求項５】
請求項１から４の何れか一項に記載の耳かき具であって、
前記柄部は、前記前段が、他の部位よりも前方側に位置している
ことを特徴とする耳かき具。
【請求項６】
請求項１または２に記載の耳かき具であって、
前記湾曲部は、くの字形状に湾曲している
ことを特徴とする耳かき具。
【請求項７】
請求項６に記載の耳かき具であって、
前記湾曲部に、耳内への挿入を阻止する阻止部が形成されている
ことを特徴とする耳かき具。
【請求項８】
請求項１から７の何れか一項に記載の耳かき具であって、
前記湾曲部は、前記先端部から把持部方向に８〜２５ｍｍの位置に設けられている
ことを特徴とする耳かき具。
【請求項９】
請求項１から８の何れか一項に記載の耳かき具であって、
前記柄部は、透光性の導光部材で形成され、
前記把持部は、前記柄部に照射する光源を有している
ことを特徴とする耳かき具。
【請求項１０】
請求項１から８の何れか一項に記載の耳かき具であって、
前記先端部と前記柄部とは、透光性の導光部材で一体に形成されている
ことを特徴とする耳かき具。
【請求項１１】
請求項１から８の何れか一項に記載の耳かき具であって、
前記先端部と前記柄部と前記把持部とは、透光性の導光部材で一体に形成され、
前記把持部は、他端に向かって漸次拡径する逆テーパー状に形成されている
ことを特徴とする耳かき具。
【請求項１２】
請求項１から８の何れか一項に記載の耳かき具であって、
前記先端部と、前記柄部とは、金属、竹、木、又はプラスチック樹脂の何れかで形成されている
ことを特徴とする耳かき具。
【発明の詳細な説明】
【技術分野】
【０００１】
本発明は、柄に湾曲部を備える耳かき具に関する。
【背景技術】
【０００２】
現在、多くの機能を備えた耳かき具が開発されている。その中には、他者の耳掃除する場合に適した耳かき具がある。例えば、他者の耳掃除をする際、膝の上に頭を乗せ上部から照明を当てて外耳道を覗き込み行うやり方が知られている。しかしながらこのような耳掃除法では、手で光が遮られるなどして手元が暗くなるため安全に耳掃除を行うことは難しい。【０００３】
そこで特許文献１には、耳内の汚れが目視しやすいように照明によって外耳道を照らすと共に、柔軟性を有する柄で安全に耳掃除が行える耳かき具が開示されている。
【先行技術文献】
【特許文献】
【０００４】
【特許文献１】特許公開２００２−２３８７９６号
【発明の概要】
【発明が解決しようとする課題】
【０００５】
ところが、このような一般的な直線棒状の耳かき具では、介助者の持ち手や耳かき具自身が視界を遮ってしまう場合がある。耳孔は狭く、介助者の視線に対して耳かき具の角度をつけることが難しいからである。その結果、例え耳内を照明したとしても、介助者は匙状の先端を目視しづらいという問題があった。【０００６】
そこで本発明は、先端を目視しやすく、耳内の汚れを安全に取り除くことが可能な耳かき具を提供することを目的とする。
【課題を解決するための手段】
【０００７】
上記課題を解決するために、本発明の耳かき具は、作用部を備える先端部と、把持部と、一端が前記先端部と、他端が前記把持部と接続された柄部と、を備え、前記柄部は、その一部が湾曲した湾曲部を有していることを特徴とする。【０００８】
前記湾曲部は、断面直径の２〜６倍の曲率半径を有していてもよい。【０００９】
前記湾曲部は、Ｓ字形状に湾曲していてもよい。【００１０】
前記柄は、前記先端部から前記湾曲部までの前段と、前記湾曲部から前記把持部までの後段と、のなす角が、５〜３０度の角度を有していてもよい。【００１１】
前記柄部は、前記前段が、他の部位よりも前方側に位置していてもよい。【００１２】
前記湾曲部は、くの字形状に湾曲していてもよい。【００１３】
前記湾曲部に、耳内への挿入を阻止する阻止部が形成されていてもよい。【００１４】
前記湾曲部は、前記先端部から把持部方向に８〜２５ｍｍの位置に設けられていてもよい。【００１５】
前記柄部は、透光性の導光部材で形成され、
前記把持部は、前記柄部に照射する光源を有していてもよい。【００１６】
前記先端部と前記柄部とは、透光性の導光部材で一体に形成されていてもよい。【００１７】
前記先端部と前記柄部と前記把持部とは、透光性の導光部材で一体に形成され、
前記把持部は、他端に向かって漸次拡径する逆テーパー状に形成されていてもよい。【００１８】
前記先端部と、前記柄部とは、金属、竹、木、又はプラスチック樹脂の何れかで形成されていてもよい。
【発明の効果】
【００１９】
本発明によれば、先端を目視しやすく、耳内の汚れを安全に取り除くことが可能な耳かき具を提供することができる。
【図面の簡単な説明】
【００２０】
【図１】第一の実施形態に係る耳かき具１の（ａ）正面図、（ｂ）側面図、（ｃ）背面図である。
【図２】第一の実施形態に係る耳かき具１の使用例を示す説明図である。
【図３】第二の実施形態に係る耳かき具２の一部断面の（ａ）正面図、（ｂ）側面図である。
【図４】第二の実施形態に係る耳かき具２の使用例を示す説明図である。
【図５】第三の実施形態に係る耳かき具３の（ａ）正面図、（ｂ）側面図である。
【図６】第三の実施形態に係る耳かき具３の使用例を示す説明図である。
【図７】第四の実施形態に係る耳かき具４の（ａ）正面図、（ｂ）側面図、（ｃ）背面図である。
【図８】第四の実施形態に係る耳かき具４の使用例を示す説明図である。
【図９】他の実施例に係る阻止部４６を有する耳かき具の使用例を示す説明図である。
【図１０】他の実施例に係る阻止部４７を有する耳かき具の使用例を示す説明図である。
【図１１】他の実施例に係る耳かき具の使用例を示す説明図である。
【図１２】他の実施例に係る耳かき具の（ａ）先端がワイヤー状の例、（ｂ）先端が円盤状の例である。
【図１３】他の実施例に係る耳かき具の（ａ）先端がワイヤー状の例、（ｂ）先端が円盤状の例である。
【発明を実施するための形態】
【００２１】
本発明の実施の形態について、以下、図に基づいて説明する。
【００２２】
＜第一の実施形態＞
図１（ａ）に第一の実施形態に係る耳かき具１の平面図、図１（ｂ）に側面図、図１（ｃ）に背面図を示す。
【００２３】
耳かき具１は、匙部１０と、柄部１１と、把持部１２と、スイッチ１３と、を有している。
【００２４】
柄部１１は、一端が把持部１２に接続されており、他端には匙状に形成された匙部１０が形成されている曲線棒状の部材である。匙部１０は、耳かきとしての作用部である。なお、柄部１１は、側面視において略Ｓ字形状に湾曲している。
【００２５】
この湾曲により柄部１１は、匙部１０が立ち上がる方向、即ち前方（正面）側へ張り出している略直線状の前段部１１ｂと、後方（背面）側へ引っ込んでいる略直線状の後段部１１ｃと、前段部１１ｂと後段部１１ｃとが切り替わるＳ字湾曲部１１ａと、を有する構造となっている。なお、当該Ｓ字湾曲部１１ａは、前段部１１ｂに対する第一の曲がり部１１ｄと、後段部１１ｃに対する第二の曲がり部１１ｅと、の二つの曲がり部を有する。第一の曲がり部１１ｄは、匙部１０の作用方向（前方側）とは逆方向に向かって湾曲し、第二の曲がり部１１ｅは、作用方向（後方側）に向かって湾曲している。これにより、前段部１１ｂは、後段部１１ｃ及び後段部１１ｃと略直線状の把持部１２よりも、前方側に位置するようになっている。
【００２６】
なお、匙部１０側先端から第一の曲がり部１１ｄまでの長さは８〜２５ｍｍ程度、より好ましくは１５〜２５ｍｍ程度である。なお、この長さを鼓膜まで到達しない長さ（例えば２０ｍｍ以下）とすれば、耳内への過度な侵入を防止でき、安全性が高まる。また、外耳道の短い子供を対象とする場合には、より短く（例えば、８ｍｍ〜１４ｍｍ程度）設計することが望ましい。
【００２７】
また、図１（ｂ）に示すように、前段部１１ｂの軸線ｍ１は、後段部１１ｃ及び後段部１１ｃと略直線状の把持部１２の軸線ｍ２に対して、傾きを有している。具体的に、前段部１１ｂがＳ字湾曲部１１ａにより一度前方側へ張り出し、匙部１０側の先端が軸線ｍ２、即ち後段部１１ｃ及び把持部１２の延長線上に近づく方向へと向かう構成となっている。なお、軸線ｍ１と軸線ｍ２のなす角は、５〜３０度、好ましくは、８〜１５度の角度、より好ましくは、１０度前後である。これにより、鼓膜への追突防止の役目を果たすとともに、把持部を手で握った場合に、視線を遮ることを防止できる。
【００２８】
また第一の曲がり部１１ｄの角、及び、第二の曲がり部１１ｅの角は、それぞれ把持部１２側から匙部１０側への導光を妨げない程度であることが望ましい。これは例えば、１０〜５０度、より好ましくは、２０度〜３０度の範囲である。もちろん、両者が同じ角度である必要はない。また、これらの曲がり部の曲率半径は、柄部中心で、柄部１１の断面直径の２〜６倍が望ましい。特に第一の曲がり部１１ｄについては、このような曲率半径を有することで、耳孔の入口に沿い易い。
【００２９】
さらに、柄部１１は全体が透光性と高屈折率を有する素材で形成されているものとする。特に外気よりも高い屈折率を有する素材を用いて形成することが望ましい。境界面で臨界角以上の入射光を全反射させることで、漏洩を抑制し、匙部１０及びその周辺における照度を確保するためである。
【００３０】
具体的な材料としては、例えば、石英ガラスやプラスチック樹脂（アクリル、ポリカポネート、ポリプロピレン、エラストマー等）等が挙げられる。特にシリコンゴムは、高度の透明度とある程度の柔軟性を兼ね備えるため、耳を痛めにくく好ましい素材である。また、集光剤（集光性蛍光染料）、蓄光剤、及び蛍光剤等を含んでいてもよい。さらに、匙部１０の底面には、光を散乱させるための細かな傷や模様による凸凹が施されていてもよい。
【００３１】
把持部１２は、一端が柄部１１と連結された直線棒状の部材である。また、把持部１２には、バッテリや電池等の任意の電源、及び電球やＬＥＤ等の光源（図示しない）が内蔵されている。さらに、スイッチ１３によって内部照明の点灯／消灯が切り替えられるようになっており、内部照明は柄部１１の接続端を照射する。柄部１１へと入射した光は、その周面で全反射を繰り返して匙部１０へと導かれ、匙部１０に到達すると外部に漏洩して、周囲を照明する。このように、利用者は内部照明によって、耳内を照射することが可能である。
【００３２】
なお、電池を使用する場合には、誤飲の可能性を考慮してボタン電池は避けることが望ましい。具体的には、単三電池、単四電池を使用することが可能である。また、電池カバーは、子供などの操作によって容易にカバーが開いて電池が取り出されるのを防止するため、ねじ止めされるのが望ましい。
【００３３】
次に、耳かき具１の使用する際の例について説明する。図２は、耳かき具１の使用例を示す説明図である。
【００３４】
図２に示すように、利用者は、耳孔に柄部１１を挿し入れる。その際、柄部１１の前段部１１ｂに対して、後段部１１ｃ及び把持部１２は後方（背面）側に位置するよう形成されている。従って、利用者は、自身の持ち手や耳かき具１に目線を遮られることなく、耳内及び匙部１０を目視することができる。また、Ｓ字湾曲部１１ａが耳穴の入口に引っ掛かるため、匙部１０が鼓膜まで到達することがない。これにより、他者だけでなく自分で使用する場合でも奥まで入れ過ぎることなく、安全に使用することが可能である。また、湾曲によって適度な弾性が生じるため、耳内を圧迫し過ぎることがない。
【００３５】
＜第二の実施形態＞
次に、本発明の第二の実施形態について説明する。以下、上述の実施形態と同様の構成を有するものについては同様の符号を付し、詳細な説明は省略する。
【００３６】
図３（ａ）は第二の実施形態に係る耳かき具２の平面図であり、図３（ｂ）はその側面図である。図３に示すように、本発明の第二の実施形態に係る耳かき具２は、柄部１１と把持部２２が一体に形成されている点で、第一の実施形態に係る耳かき具１とは異なる。
【００３７】
耳かき具２は、柄部１１と一体に形成された把持部２２を有している。把持部２２は、一端に向かうにつれて漸次指数関数的に拡径する、逆テーパー状かつ直線棒状の部材である。最大径となる端部には、受光面２５を有する集光部２４が形成されている。受光面２５は、ここでは非球面形状のレンズ形状としているが、球面のレンズ形状でもよく、また、平面形状としてもよい。このような集光部２４の受光面２５が受光した光は、把持部２２の周面で全反射を繰り返して集光され、匙部１０へと導かれる。匙部１０に到達した光は、外部に漏洩して周囲を照明する。
【００３８】
また、このような耳かき具２の集光部２４の最大径部分の断面積は、最小径部分（匙部１０付近）の断面における断面積に対して、少なくとも２倍以上であることが望ましい。例えば、最大径部分の直径をφ１６ｍｍ、最小径部分の直径を４ｍｍとした場合、最大径部分の断面積は約１９２ｍｍ２、最小径部分の断面積は約１２ｍｍ２となり、その差は約１６倍となる。これにより、例え漏洩光があったとしても、匙部１０から放光される光量を一定以上維持できる。なお、ここでは、最大径部分の面積を受光面２５の投影面積として算出したが、受光面の表面積が、最小径部分の断面積の２倍以上あればよい。
【００３９】
さらに、集光部からの光が先端に導光する際に、光透過率が低い材料で形成すると、光の劣化が生じる。このため透過率は９０％以上、理想的には９５％以上であることが望ましい。また、集光部から先端までの距離が長いと光の劣化が大きくなるので、例えば１２〜１８ｃｍ程度の長さであることが望ましい。さらに、集光部の横からの光（例えば通過光）を捉え蛍光に変換し匙部１０に導くために、集光剤を含有しても良い。
【００４０】
なお、柄部１１と把持部２２は一体に形成されることが望ましいが、各部の光軸を一致させて端面を接着して形成してもよい。
【００４１】
図４は、耳かき具２の使用例を示す説明図である。図４に示すように、利用者は、自身の持ち手や耳かき具２に目線を遮られることなく、耳内及び匙部１０を目視することができる。また、このような耳かき具２によれば、受光面２５より入射した光を効率よく匙部１０へと導光し、放光させることができる。従って、電源を必要とすることなく、耳掃除に充分な光量を確保できる。
【００４２】
＜第三の実施形態＞
次に、本発明の第三の実施形態について説明する。
【００４３】
図５（ａ）は第三の実施形態に係る耳かき具３の平面図であり、図５（ｂ）はその側面図である。図５に示すように、本発明の第三の実施形態に係る耳かき具３は、把持部３２が略同径の直線棒状である点において、第二の実施形態に係る耳かき具２とは異なる。
【００４４】
耳かき具３は、上記耳かき具２と同様に柄部１１と把持部３２とが一体となる構造であるが、一般的な耳かき具と同様に、把持部３２は全体が略同径の直線棒状に形成されている。このような耳かき具３は、上記と同様に導光性の部材で形成してもよく、同じように、集光剤、蓄光剤、及び蛍光剤等を含んでいてもよいが、竹材、木材、プラスチック樹脂、金属等の、一般的な部材で形成してもよい。
【００４５】
図６は、耳かき具３の使用例を示す説明図である。図６に示すように、利用者は、自身の持ち手や耳かき具３に目線を遮られることなく、耳内及び匙部１０を目視することができる。また、耳かき具３は把持部３２が細く形成されていることでより視線を遮られにくく、安全な耳掃除を行うことができる。
【００４６】
＜第四の実施形態＞
次に、本発明の第四の実施形態について説明する。
【００４７】
図７（ａ）は第四の実施形態に係る耳かき具４の平面図であり、図７（ｂ）はその側面図であり、図７（ｃ）はその背面図である。図７に示すように、本発明の第四の実施形態に係る耳かき具４は、Ｓ字湾曲部１１ａに変えて、単に後方（背面）側へ湾曲する湾曲部４１ａを有している点において、上記実施形態に係る耳かき具とは異なる。
【００４８】
耳かき具４は、把持部１２と略直線状の後段部４１ｃと、後段部４１ｃに対して後方（背面）側へ湾曲する湾曲部４１ａと、後段部４１ｃに対して後方（背面）側への傾きを有する直線状の前段部４１ｂと、を有する柄部４１を有している。従って、湾曲部４１ａは、柄部４１をくの字形状に湾曲させている。
【００４９】
図８は、耳かき具４の使用例を示す説明図である。図８に示すように、利用者は、自身の持ち手や耳かき具３に目線を遮られることなく、耳内及び匙部１０を目視することができる。
【００５０】
以上、本発明に係る耳かき具の実施形態について説明した。なお、本発明に係る耳かき具は上記に限らず、さらに多くの代替物、修正および変形例が当業者にとって明らかである。また、上記各実施形態や変形例における各特徴をそれぞれ組み合わせて用いることもできる。
【００５１】
例えば、図９に示すように、柄部４１と把持部２２とを組み合わせた構成としてもよい。また、柄部４１には、阻止部４６を設けてもよい。阻止部４６は本例では、湾曲部４１ａ及び後段部４１ｃの背面から後方（背面）側へ飛び出た突起であり、耳孔に引っ掛かって柄部４１を耳孔入口に留め置き、匙部１０が奥へ入りすぎないよう阻止する。
【００５２】
さらに例えば、図１０に示すように、柄部４１と把持部３２とを組み合わせた構成としてもよい。なお、阻止部４６の形状も上記に限定されない。例えば、本例の柄部４１には、阻止部４７が設けられている。阻止部４７はここでは、湾曲部４１ａ及び後段部４１ｃに設けられた回転楕円体（ここでは、長球形状）であり、耳孔に引っ掛かって柄部４１を耳孔入口に留め置き、匙部１０が奥へ入りすぎないよう阻止する。なお、阻止部４６は、先端から８〜２５ｍｍの位置にあるのが好ましい。
【００５３】
また例えば、図１１に示すように、匙部１０の立ち上がる方向は後方（背面）側でも構わない。このような場合でも、利用者は柄部１１や把持部１２に視線を妨げられることなく、匙部１０や耳内を目視することができる。
【００５４】
さらに、匙部（作用部）１０や把持部１２の形状は上記に限らず、どのような形であってもよい。図１２及び図１３に、一部の例を挙げる。図１２（ａ）及び図１３（ａ）は、匙状を模った３連のワイヤー状の先端部１０ａを有する耳かき具の例である。図１２（ｂ）及び図１３（ｂ）は、円盤状の３つのフランジ部分が設けられた先端部１０ｂを有する耳かき具の例である。このような形状の先端を備えた耳かき具においても、柄部１１及び柄部４１においては、上記と同様の効果を得ることができる。
【００５５】
また、把持部から柄部を抜き取り、付け替え可能としてもよい。
【００５６】
さらに、匙部自体が光を放出せずとも、匙部周辺から光を漏洩させる構成とすることもできる。また、匙部を除く部分の周面を鏡面構造とし、光の漏洩を防いでもよい。
【符号の説明】
【００５７】
１，２，３，４：耳かき具、１０：匙部、１０ａ，１０ｂ：先端部、１１，４１：柄部、１１ａ：Ｓ字湾曲部、１１ｂ，４１ｂ：前段部、１１ｃ，４１ｃ：後段部、１２，２２，３２：把持部、２４：集光部、２５：受光面、４１ａ：湾曲部、４６，４７：阻止部。
【図１】
2016068134.tif 000003
【図２】
2016068134.tif 000004
【図３】
2016068134.tif 000005
【図４】
2016068134.tif 000006
【図５】
2016068134.tif 000007
【図６】
2016068134.tif 000008
【図７】
2016068134.tif 000009
【図８】
2016068134.tif 000010
【図９】
2016068134.tif 000011
【図１０】
2016068134.tif 000012
【図１１】
2016068134.tif 000013
【図１２】
2016068134.tif 000014
【図１３】
2016068134.tif 000015
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
匙部を備える先端部と、
把持部と、
一端が前記先端部と、他端が前記把持部と接続された柄部と、を備え、
前記柄部は、
湾曲した第一の曲がり部と、当該第一の曲がり部と反対方向に湾曲した第二の曲がり部とを有するＳ字形状に湾曲した湾曲部を有し、かつ、
前記第二の曲がり部と同じ方向に湾曲した第三の曲がり部を介して、前記先端部と結合している
ことを特徴とする耳かき具。
【請求項２】
請求項１に記載の耳かき具であって、
前記柄は、前記第三の曲がり部から前記第一の曲がり部までの前段と、前記第二の曲がり部から前記把持部までの後段と、のなす角が、５〜３０度の角度を有している
ことを特徴とする耳かき具。
【請求項３】
請求項１または２に記載の耳かき具であって、
前記湾曲部に、耳内への挿入を阻止する阻止部が形成されている
ことを特徴とする耳かき具。
【請求項４】
請求項１から３の何れか一項に記載の耳かき具であって、
前記湾曲部は、前記先端部から把持部方向に８〜２５ｍｍの位置に設けられている
ことを特徴とする耳かき具。
【請求項５】
請求項１から４の何れか一項に記載の耳かき具であって、
前記柄部は、透光性の導光部材で形成され、
前記把持部は、前記柄部に照射する光源を有している
ことを特徴とする耳かき具。
【請求項６】
請求項１から５の何れか一項に記載の耳かき具であって、
前記先端部と前記柄部とは、透光性の導光部材で一体に形成されている
ことを特徴とする耳かき具。
【請求項７】
請求項１から６の何れか一項に記載の耳かき具であって、
前記先端部と前記柄部と前記把持部とは、透光性の導光部材で一体に形成され、
前記把持部は、他端に向かって漸次拡径する逆テーパー状に形成されている
ことを特徴とする耳かき具。
【請求項８】
請求項１から７の何れか一項に記載の耳かき具であって、
前記先端部と、前記柄部とは、金属、竹、木、又はプラスチック樹脂の何れかで形成されている
ことを特徴とする耳かき具。
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
匙部を備える先端部と、
把持部と、
一端が前記先端部と、他端が前記把持部と接続された柄部と、を備え、
前記柄部は、
湾曲した第一の曲がり部と、当該第一の曲がり部と反対方向に湾曲した第二の曲がり部とを有するＳ字形状に湾曲した湾曲部を有し、かつ、
前記第二の曲がり部と同じ方向に湾曲した第三の曲がり部を介して、前記先端部と結合しており、
前記柄部は、透光性の導光部材で形成され、
前記把持部は、前記柄部に照射する光源を有している
ことを特徴とする耳かき具。
【請求項２】
請求項１に記載の耳かき具であって、
前記柄部は、前記第三の曲がり部から前記第一の曲がり部までの前段と、前記第二の曲がり部から前記把持部までの後段と、のなす角が、５〜３０度の角度を有している
ことを特徴とする耳かき具。
【請求項３】
匙部を備える先端部と、
把持部と、
一端が前記先端部と、他端が前記把持部と接続された柄部と、を備え、
前記柄部は、
湾曲した第一の曲がり部と、当該第一の曲がり部と反対方向に湾曲した第二の曲がり部とを有するＳ字形状に湾曲した湾曲部を有し、かつ、
前記第二の曲がり部と同じ方向に湾曲した第三の曲がり部を介して、前記先端部と結合しており、
前記湾曲部に、耳内への挿入を阻止する阻止部が形成されている
ことを特徴とする耳かき具。
【請求項４】
請求項１から３の何れか一項に記載の耳かき具であって、
前記湾曲部は、前記先端部から把持部方向に８〜２５ｍｍの位置に設けられている
ことを特徴とする耳かき具。
【請求項５】
請求項１から４の何れか一項に記載の耳かき具であって、
前記先端部と前記柄部とは、透光性の導光部材で一体に形成されている
ことを特徴とする耳かき具。
【請求項６】
請求項１から５の何れか一項に記載の耳かき具であって、
前記先端部と前記柄部と前記把持部とは、透光性の導光部材で一体に形成され、
前記把持部は、他端に向かって漸次拡径する逆テーパー状に形成されている
ことを特徴とする耳かき具。
【請求項７】
請求項１から６の何れか一項に記載の耳かき具であって、
前記先端部と、前記柄部とは、金属、竹、木、又はプラスチック樹脂の何れかで形成されている
ことを特徴とする耳かき具。
【国際調査報告】
2016068134.tif 000016
2016068134.tif 000017
2016068134.tif 000018
2016068134.tif 000019